(57)【要約】【課題】  脱毛、美顔その他の美容処理を行うスキンケア装置において、ハンドピースのスライドによるケア光線照射の連続操作に熟練を要さず、スキンケア処理時間を短縮できる、スキンケア装置及びスキンケア方法を提供することである。【解決手段】  本発明のスキンケア装置１は、皮膚表面に対向接触してケア光線照射操作を行う把持可能なハンドピース１０と、前記ハンドピース１０の操作を行うに際しケア光線照射制御やハンドピースのスライド制御等を行う制御部２と、により構成したスキンケア装置１において、前記ハンドピース１０は、ケア光線を照射するためのケア光線照射体と、下側面に開口したケア光線照射用の照射窓１５０と、前記ハンドピースを皮膚表面に沿って密着させながらスライドさせたスライド量の検出を行うスライド量検出手段と、前記照射窓１５０のスライド量が所定の値となった時に作動するケア光線照射手段と、を備えることとした。【選択図】図１
2015093109.tif 000002
【特許請求の範囲】
【請求項１】
スキンケア装置により皮膚表面にケア光線を照射しながらスキンケアを行う方法において、
スキンケア装置に設けた照射窓を皮膚表面から離脱することなく皮膚表面に密着しながらスライドさせて皮膚表面に連続してスキンケアを行うことを特徴とするスキンケア方法。
【請求項２】
ケア光線照射体の照射窓から照射するケア光線は、照射窓のスライド操作時には照射をＯＦＦとし、照射窓が既照射領域を通過すると同時に照射をＯＮとすることを特徴とする請求項１に記載のスキンケア方法。
【請求項３】
照射窓のスライド量を測定するためのスライド量検出手段をスキンケア装置に設けたことを特徴とする請求項１及び請求項２に記載のスキンケア方法。
【請求項４】
照射窓のスライド操作時およびケア領域通過時に操作されるケア光線のＯＮ、ＯＦＦ操作は、前記スライド量検出手段に電気的に接続した制御部を介してケア光線操作手段により行われることを特徴とする請求項３に記載のスキンケア方法。
【請求項５】
前記スライド量検出手段は、照射窓の近傍に設けた回転体であり、照射窓のスライド操作時皮膚表面を転動する回転体の回転量を検出してスライド量の検出を行うことを特徴とする請求項４に記載のスキンケア方法。
【請求項６】
前記スライド量が所定の値となった時に前記回転体の転動を停止するスライド停止手段を設けたことを特徴とする請求項５に記載のスキンケア方法。
【請求項７】
前記スライド量検出手段は、照射窓の近傍に設けた光センサーであり、照射窓のスライド操作時皮膚表面を移動する距離を検出してスライド量の検出を行うことを特徴とする請求項４に記載のスキンケア方法。
【請求項８】
光センサーまたは磁気センサーによりスライド量の検出が可能なようにケア領域である皮膚表面に光検出ストライプ又は磁気ストライプを表示したシートを貼着することを特徴とする請求項４に記載のスキンケア方法。
【請求項９】
単一のスライド量は、単一のケア領域の幅員と略同一の長さであることを特徴とする請求項４に記載のスキンケア方法。
【請求項１０】
照射窓の幅員は、単一のケア領域の幅員又は単一のスライド量と略同一の長さであることを特徴とする請求項４に記載のスキンケア方法。
【請求項１１】
皮膚表面に対向接触してケア光線照射操作を行う把持可能なハンドピースと、
前記ハンドピースの操作を行うに際しケア光線の照射制御やハンドピースのスライド制御等を行う制御部と、により構成したスキンケア装置において、
前記ハンドピースは、
ケア光線を照射するためのケア光線照射体と、
下側面に開口したケア光線照射用の照射窓と、
前記ハンドピースを皮膚表面に沿って密着させながらスライドさせたときの前記照射窓のスライド量を検出するスライド量検出手段と、
前記照射窓のスライド量が所定の値となったときに作動するケア光線照射手段と、を備えたことを特徴とするスキンケア装置。
【請求項１２】
前記スライド量検出手段は、ハンドピースの下側面から周面の一部を露出させて転動する回転体である請求項１１に記載のスキンケア装置。
【請求項１３】
前記回転体は、回転自在の球体またはローラー体であることを特徴とする請求項１２に記載のスキンケア装置。
【請求項１４】
前記スライド量検出手段によって検出された前記照射窓のスライド量が所定の値になったときに、前記回転体の回転を停止することによりスライドを停止させるスライド停止手段を設けたことを特徴とする請求項１３に記載のスキンケア装置。
【請求項１５】
前記回転体はケア光線が透過可能な多角形とし、多角形の一辺は単一の照射領域の幅員と略同一の長さであることを特徴とする請求項１２に記載のスキンケア装置。
【請求項１６】
前記スライド量検出手段は、光センサーまたは磁気センサーであることを特徴とする請求項１１に記載のスキンケア装置。
【請求項１７】
前記スライド量検出手段は、皮膚表面に貼着させた光検出ストライプまたは磁気ストライプを有するシートを用いて行う光センサーまたは磁気センサーであることを特徴とする請求項１１に記載のスキンケア装置。
【発明の詳細な説明】
【技術分野】
【０００１】
本発明は、スキンケア装置に関する。特にキセノン管の発光による光線を照射してスキンケア処理を行うスキンケア装置に関する。
【背景技術】
【０００２】
従来、脱毛等のスキンケア処理方法として提案されている方法には、例えば、電気針脱毛法、レーザー脱毛法、フラッシュランプによる光線を用いた光脱毛法等がある。
【０００３】
電気針脱毛法は、一つ一つの毛穴に針を刺して電気を流し発熱ないしは電気分解によって毛根や毛母細胞などの発毛に関与する部分を破壊して脱毛する方法である。毛穴1本単位で針をさして脱毛するため、確実に脱毛できるものの煩雑で処理時間が長くなる。
【０００４】
レーザー脱毛法は、レーザー光が特定の色に吸収されるという特性を用いて、レーザー光を皮膚表面に照射して毛根またはその周囲の細胞組織に化学変化を加えて脱毛する方法である。照射は面単位に行われるので、電気針脱毛法に比べ処理時間が少ない。表層に出ている毛は全体の２０％程度であり、毛周期に合わせて何回か繰り返し処理を行う必要がある。
【０００５】
光脱毛法は、キセノン管等のフラッシュランプによる光線を皮膚表面に照射して毛根またはその周囲の細胞組織に化学変化を加えて脱毛する方法である。レーザー脱毛法に比べ、照射エネルギーが少なく、また照射範囲もより広く取ることができ処理時間を短くすることができる。レーザー脱毛法と同じく、毛周期に合わせて何回か繰り返し処理を行う必要がある。
【０００６】
かかるレーザー脱毛法または光脱毛法を用いたスキンケア装置では、一定の照射範囲を持つ面単位ではあるものの、スキンケア処理部位全体をカバーするためには、照射面を移動させて繰り返し照射を行う必要がある。
【０００７】
そこで、例えば移動機構を設けて脱毛処理部位全体を照射する家庭用脱毛機が提案されている。（特許文献１）
【先行技術文献】
【特許文献】
【０００８】
【特許文献１】特開２００２−１７２１７９号公報
【発明の開示】
【発明が解決しようとする課題】
【０００９】
しかしながら、特許文献１のように、これまでの家庭用脱毛機では、スキンケア処理部位に照射ハンドピースを当接するに際して既処理領域に重ならないようにハンドピースを隣接部位に次々と繰り返し置き換える操作が必要であり、簡便な作業が行えるケア処理装置とは言えなかった。
また、手動で処理部位全体に繰り返しハンドピースを置き換えながら照射するためには、照射窓の単一ケア領域が重なったり、その間に隙間が生じたりしないように照射面を正確に置き換え移動させる必要がある。
しかしながら、このような照射操作を行うには、熟練が必要であり、多大の処理時間を要し、ケア処理の単位時間でケア料金を算出する美容処理業界においては大きな問題となっていた。
【００１０】
本発明の目的は、上記課題に鑑み、脱毛、美顔その他の美容処理を行うスキンケア装置において、ケア光線照射を行うハンドピースを皮膚表面上で連続的にスライドさせ、ハンドピースの正確な置換え作業を要することなく、既照射領域に隣接した新たな照射領域に正確にハンドピースの照射面を安全かつ容易に設定可能とし、スライドによるスキンケア光線照射の連続操作に熟練を要さず、スキンケア処理時間を短縮できる、スキンケア装置及びスキンケア方法を提供することである。
【課題を解決するための手段】
【００１１】
本発明のスキンケア方法では、
スキンケア装置により皮膚表面にケア光線を照射しながらスキンケアを行う方法において、スキンケア装置に設けた照射窓を皮膚表面から離脱することなく皮膚表面に密着しながらスライドさせて皮膚表面に連続してスキンケアを行うこととした。
【００１２】
さらに、本発明のスキンケア方法では、
ケア光線照射体の照射窓から照射するケア光線は、照射窓のスライド操作時には照射をＯＦＦとし、照射窓が既照射領域を通過すると同時に照射をＯＮとすることにも特徴を有するものである。
【００１３】
さらに、本発明のスキンケア方法では、
照射窓のスライド量を測定するためのスライド量検出手段をスキンケア装置に設けたことにも特徴を有するものである。
【００１４】
さらに、本発明のスキンケア方法では、
照射窓のスライド操作時およびケア領域通過時に操作されるケア光線のＯＮ、ＯＦＦ操作は、前記スライド量検出手段に電気的に接続した制御部を介してケア光線操作手段により行われることにも特徴を有するものである。
【００１５】
さらに、本発明のスキンケア方法では、
スライド量検出手段は、照射窓の近傍に設けた回転体であり、照射窓のスライド操作時皮膚表面を転動する回転体の回転量を検出してスライド量の検出を行うことにも特徴を有するものである。
【００１６】
さらに、本発明のスキンケア方法では、
スライド量が所定の値となった時に回転体の転動を停止するスライド停止手段を設けたことにも特徴を有するものである。
【００１７】
さらに、本発明のスキンケア方法では、
スライド量検出手段は、照射窓の近傍に設けた光センサーであり、照射窓のスライド操作時皮膚表面を移動する距離を検出してスライド量の検出を行うことにも特徴を有するものである。
【００１８】
さらに、本発明のスキンケア方法では、
光センサーまたは磁気センサーによりスライド量の検出が可能なようにケア領域である皮膚表面に光検出ストライプ又は磁気ストライプを表示したシートを貼着することにも特徴を有するものである。
【００１９】
さらに、本発明のスキンケア方法では、
単一のスライド量は、単一のケア領域の幅員と略同一の長さであることにも特徴を有するものである。
【００２０】
さらに、本発明のスキンケア方法では、
照射窓の幅員は、単一のケア領域の幅員又は単一のスライド量と略同一の長さであることにも特徴を有するものである。
【００２１】
本発明のスキンケア装置では、
皮膚表面に対向接触して、ケア光線照射操作を行う把持可能なハンドピースと、前記ハンドピースの操作を行うに際しケア光線照射制御及びハンドピースのスライド制御等を行う制御部と、により構成したスキンケア装置において、
前記ハンドピースは、ケア光線を照射するためのケア光線照射体と、下側面に開口したケア光線照射用の照射窓と、下側面の近傍にハンドピースを皮膚表面に沿って密着させながらスライドさせたときの照射窓のスライド量を検出するスライド量検出手段と、を備えることとした。
【００２２】
さらに、本発明のスキンケア装置では、
スライド量検出手段は、ハンドピースの下側面から周面の一部を露出させて転動する回転体であるように構成したことにも特徴を有するものである。
【００２３】
さらに、本発明のスキンケア装置では、
回転体は、回転自在の球体またはローラーであることにも特徴を有するものである。
【００２４】
さらに、本発明のスキンケア装置では、
スライド量検出手段により検出されたスライド量が所定の値となった時に回転体の転動を停止するスライド停止手段を設けたことにも特徴を有するものである。
【００２５】
さらに、本発明のスキンケア装置では、
回転体は、ケア光線が透過可能な多角形とし、多角形の一辺は単一の照射領域の幅員と略同一の長さであることにも特徴を有するものである。
【００２６】
さらに、本発明のスキンケア装置では、
スライド量検出手段は光センサーまたは磁気センサーであるように構成したことにも特徴を有するものである。
【００２７】
さらに、本発明のスキンケア装置では、
スライド量検出手段は皮膚表面に貼着させた光検出ストライプまたは磁気ストライプを有するシートを用いて行う光センサーまたは磁気センサーであるように構成したことにも特徴を有するものである。
【発明の効果】
【００２８】
請求項１の発明によれば、
１）ケア光線を照射して行うスキンケア方法であるため、処理面積を一定の広さでとることができ処理効率の向上を図ることができる、
２）ハンドピース本体（照射窓）をケア領域の皮膚表面に密着しながらスライドさせて連続して行うスキンケア方法であるため、さらに処理効率の向上を図ることができる、
という効果がある。
【００２９】
請求項２の発明によれば、ケア光線照射体から照射するケア光線は、照射窓のスライド操作中は照射をＯＦＦとし、既照射領域を通過すると同時に照射をＯＮとするスキンケア方法であるため、同一の照射領域に重畳して照射することがなく安全であるという効果がある。
【００３０】
請求項３の発明によれば、スキンケア装置にスライド量検出手段を設けたスキンケア方法であるため、スライド操作に既処理領域との重なりや隙間が生じることなく連続的に照射が行えるため、安全であり、処理効率が向上できるという効果がある。
【００３１】
請求項４の発明によれば、  照射窓のスライド操作時およびケア領域通過時に操作されるケア光線のＯＮ、ＯＦＦ操作は、前記スライド量検出手段に電気的に接続した制御部を介してケア光線操作手段により行われることとしたので、操作が容易であるという効果がある。
【００３２】
請求項５及び請求項１２の発明によれば、  前記スライド量検出手段は、照射窓の近傍に設けた回転体であり、照射窓のスライド操作時皮膚表面を転動する回転体の回転量を検出してスライド量の検出を行うこととしたので、皮膚表面に密着してスライドさせることができ、操作が容易であるという効果がある。
【００３３】
請求項６及び請求項１４の発明によれば、  前記スライド量が所定の値となった時に前記回転体の転動を停止するスライド停止手段を設けることとしたので、スライド停止操作が容易で、より正確で確実なスライド操作を行えるという効果がある。
【００３４】
請求項７及び請求項１６の発明によれば、スライド量検出手段は、照射窓の近傍に設けた光センサーまたは磁気センサーであり、照射窓のスライド操作時皮膚表面を移動する距離を検出してスライド量の検出を行うこととしたので、機械的可動部分がなく高信頼、長寿命であるという効果がある。
【００３５】
請求項８及び請求項１７の発明によれば、光センサーまたは磁気センサーによりスライド量の検出が可能なように皮膚表面に光検出ストライプ又は磁気ストライプを備えたシートを貼着することとしたので、ケア領域全体のスライド操作をより正確、確実に行えるという効果がある。
【００３６】
請求項９の発明によれば、単一のスライド量は、単一のケア領域の幅員と略同一の長さであることとしたので、スライド操作が容易であるという効果がある。
【００３７】
請求項１０の発明によれば、  照射窓の幅員は、単一のケア領域の幅員又は単一のスライド量と略同一の長さであることとしたので、スライド操作が容易であるという効果がある。
【００３８】
請求項１１の発明によれば、
１）皮膚表面に対向接触してケア光線照射操作を行う把持可能なハンドピースと、前記ハンドピースの操作を行うに際し、ケア光線の照射制御やハンドピースのスライド制御等を行う制御部と、により構成したスキンケア装置としたので、ハンドピースの小型軽量化を図ることができる、
２）前記ハンドピースは、ケア光線を照射するためのケア光線照射体と、下側面に開口したケア光線照射用の照射窓と、前記ハンドピースを皮膚表面に沿って密着させながらスライドさせたときの前記照射窓のスライド量を検出するスライド量検出手段と、前記照射窓のスライド量が所定の値となったときに作動するケア光線照射手段と、を備えることとしたので、照射窓を皮膚表面から離脱することなく皮膚表面に密着しながらスライドさせて皮膚表面に連続してスキンケアを安全確実に行える、
３）ケア光線を照射した後、隣接したケア領域にハンドピース本体をスライドさせて停止し、ケア光線照射を行うという連続操作を行う際に、照射窓の単一ケア領域が重なったり、隙間が生じたりしないように正確、安全かつ容易なスライド操作を可能としたので、熟練者でなくても操作が可能となり、またスキンケア処理時間が短縮できる、
という効果がある。
【００３９】
請求項１３の発明によれば、回転体は回転自在の球体またはローラー体としたので、皮膚表面に密着させながらスライド操作を容易に行えるという効果がある。
【００４０】
請求項１５の発明によれば、ケア光線が透過可能な多角形とし、多角形の一辺は単一の照射領域の幅員と略同一の長さとしたので、スライド操作で重なりや隙間が生じにくく確実な操作が行えるという効果がある。
【図面の簡単な説明】
【００４１】
【図１】本発明の実施形態にかかるスキンケア装置の概略構成図である。
【図２】本発明の実施形態にかかるハンドピースの構造を示すものであり、（ａ）はハンドピースの上面図であり、（ｂ）はハンドピースの側面図であり、（ｃ）はハンドピースの底面図であり、（ｄ）はハンドピースの正面図である。
【図３】本発明の実施形態にかかるハンドピースを片手の平でグリップした状態を示した図であり、（ａ）はハンドピースを底面視した状態を示す図であり、（ｂ）はハンドピースを側面視した状態を示す図である。
【図４】本発明の実施形態にかかるスキンケア装置の機能構成を例示した図である。
【図５】本発明の実施形態にかかるスキンケア装置の処理の概略フローを示したフローチャートである。
【図６】（ａ）は本発明の実施形態にかかるハンドピースの使用状態を示した図であり、（ｂ）はハンドピースの使用状態を示した図である。
【図７】本発明の実施形態にかかるハンドピースの構成を示した図であり、（ａ）は回転機構を収納して構成したハンドピースであり、（ｂ）は断面多角形状の回転機構を収納して構成したハンドピースであり、（ｃ）は光センサーを収納して構成したハンドピースである。
【図８】本発明に使用する光検出ストライプの説明図である。
【図９】本発明の実施形態にかかるハンドピースの構成を示した図である。
【図１０】本発明の実施形態にかかるハンドピース本体の構成を示した図である。
【発明を実施するための最良の形態】
【００４２】
本発明は、皮膚表面に対向接触してスキンケア照射操作を行う把持可能なハンドピースと、前記ハンドピースの操作を行うに際し、ケア光線の照射制御やハンドピースのスライド制御等を行う制御部と、により構成したスキンケア装置において、前記ハンドピースは、ケア光線を照射するためのケア光線照射体と、下側面に開口したケア光線照射用の照射窓と、前記ハンドピースを皮膚表面に沿って密着させながらスライドさせたときの照射窓のスライド量を検出するスライド量検出手段と、前記照射窓のスライド量が所定の値となったときに作動するケア光線照射手段と、を備えたスキンケア装置および当該スキンケア装置を用いたスキンケア方法を提供するものである。
【００４３】
以下、本発明の実施形態について図面に基づいて詳しく説明する。
先ず、本発明のスキンケア装置について説明する。
【００４４】
図１は本発明の実施形態にかかるスキンケア装置の概略構成図である。スキンケア装置は、装置本体１及び装置本体１にケーブル４を介して接続されたハンドピース１０を備えている。
【００４５】
装置本体１は、マイコン等の制御回路よりなり、各種制御処理を行う制御部２（図示せず）と、操作キー類及び表示器を備えた操作部３と、ハンドピースのキセノン管の発光に伴う発熱を冷却する冷却部（図示せず）と、より構成されている。制御部２及び冷却部６については、図４を参照して後述する。
【００４６】
図１に示すように、操作部３は、操作パネル３０と緊急停止ボタン３１とキースイッチ３２を設けている。操作パネル３０は、表示パネル３３とＭＯＤＥボタン３４とＳＥＬＥＣＴボタン３５とＯＫボタン３６とにより構成されている。表示パネル３３は、各種設定の状態、アラーム等を表示するようにしている。ＭＯＤＥボタン３４は、処理モード、Ａ〜Ｄモードのいずれかを選択するボタンであり、Ａ〜Ｄモードでは光の照射箇所、例えばフェイスやボディなどによりモード別に分けたものである。ＳＥＬＥＣＴボタン３５は、光の強弱を上げたり下げたりするボタンである。ＯＫボタン３６は、前記各モードを設定した後に確定するためのボタンである。緊急停止ボタン３１は、緊急事態が発生した場合に強制的にケア光線の照射等を停止するためのボタンである。キースイッチ３２は、図示しないキーを差し込み、時計回りに回すと操作可能にするためのスイッチである。
【００４７】
コネクタ部８は、装置本体１とその先端にハンドピース１０を備えたケーブル４との接続部である。コネクタ部８には、電気系統コネクタ８１と冷却水コネクタ８２とが設けられている。
【００４８】
図１及び図４に示すように、ハンドピース１０は、略長方形のケースよりなるハンドピース本体１００、ハンドピース本体１００の後端に連接した筒状のグリップ部１１０、グリップ部１１０の基端下面に配設した照射ボタン１２０、ハンドピース本体１００の上面先端部に配設した表示器１３０、略長方形のハンドピース本体１００の上面で表示器１３０の後方に配設した照射カウンタ１４０、ハンドピース本体１００の内部に長手方向に沿って架設したケア光線照射体の実施例としてのキセノン管１５１およびハンドピース本体１００の下底面に方形状に配設した照射窓１５２を備えた照射部１５０、ハンドピース本体１００の下底面に設けたスライド量検出部１６０、ハンドピース本体１００の下底面に設けた圧力センサー１８０より構成されている。
ハンドピース１０は、グリップ部１１０またはハンドピース本体１００を手で掴み、スキンケアを行う部位に照射部１５０を対向させて操作するようになっている。
また、ハンドピース本体１００はグリップ部１１０と一体構造の他に、図９（ａ）、図９（ｂ）に示すように、ハンドピース本体１００を回転自在の枢支した構造とする場合もある。
すなわち、図９（ａ）に示すように、枢軸２００を介してグリップ部１１０の先端をハンドピース本体１００の上面中央部に枢支しておき、スキンケア処理を行う場合には必要に応じて図９（ｂ）に示すように、９０度や４５度のように一定角度にハンドピース本体１００を回転させて処理部位の位置や処理部位の表面凹凸などの処理環境に応じてハンドピース本体１００を所望の角度だけ回転させ最適の処理姿勢に変位させることができるように構成している。
【００４９】
ケーブル４は装置本体１とハンドピース１０を接続し、装置本体とハンドピ−ス間の各種信号のやり取りをする信号線、キセノン管へ電力を供給する電力線、装置本体とハンドピースで冷却水を循環させるための冷却水パイプ６４を収容している。ケーブル４は、一端をコネクタ部８に、他端はグリップ部１１０を通してハンドピース本体１００に接続している。
【００５０】
図２は、本発明の実施形態にかかるスキンケア装置のハンドピース１０の外観を示している。  図２（ａ）は上面図、図２（ｂ）は側面図、図２（ｃ）は底面図、図２（ｄ）は正面図である。図２（ａ）の上面図には、表示器１３０、及び照射カウンタ１４０が示されている。図２（ｂ）の側面図には、グリップ部のハンドピース本体寄りの底面に照射ボタン１２０が示されている。ハンドピース本体の底面には、照射部１５０とともに回転体１９１及び圧力センサー１８０が設けられている。
【００５１】
図２（ｃ）に示すように、ハンドピース本体１００の底面には、照射窓１５２、スライド量検出部１６０としての回転体１９１及び圧力センサー１８０が設けられている。
【００５２】
表示器１３０は、発光ダイオード等の発光素子を備えており、照射部１５０が停止状態にあるか、待機状態にあるか、照射中であるかを黄色、緑色、赤などの異なる色で発光して表示するようになっている。照射カウンタ１４０は設置時からの累積照射回数を記憶し表示する。
【００５３】
図３は、ハンドピースを片手の平でグリップした状態を示した図である。
図３（ａ）は、ハンドピース本体１００をグリップし、照射ボタン１２０を親指で押さえている状態を示している。
【００５４】
図３（ａ）及び図３（ｂ）に示すように、棒状のグリップ部１１０はハンドピース本体１００のケースと一体に形成されており、ハンドピース本体１００の前後の長さと略同一の長さに構成すると共に、ハンドピース本体１００の基端上部に延設している。
【００５５】
これにより、図３（ａ）及び図３（ｂ）に示すように、スキンケアを行う処理部位に応じて操作しやすいグリップ形態をとることができ、安全で確実な操作が可能である。
【００５６】
図４は、本発明の実施形態に係るスキンケア装置の機能構成を例示した図である。装置本体１の制御部２は、照射制御部２０１、操作制御部２０２およびスライド制御部２０３、を備えており、照射制御部２０１は、照射ボタンの押下操作に基づいて照射部１５０を作動させてキセノン管１５１を発光させ、ケア光線を方形状の照射窓１５２を通して照射するように制御する。照射窓１５２はサファイアからなる導光管から構成され、大きさは、たとえば、１０ｍｍ×５０ｍｍである。
発光は、例えば２０ｍｓ〜１５００ｍｓの幅を持つパルス発光で行っている。また、キセノン管の発光は、非点灯時にも微弱電流を流してシマー発光させておき、照射時に高速に発光するようにしている。
【００５７】
操作制御部２０２は、ハンドピースの状態及び照射ボタンの押下操作に基づいて表示器１３０を停止状態、待機状態または照射中に設定するように制御する。
【００５８】
冷却部６は、ハンドピース本体１００のキセノン管１５１の発光に伴う発熱を冷却水で冷却する。キセノン管１５１の冷却と共に、皮膚表面にケア光線を照射することによる火傷のおそれを防止すため、皮膚表面に接する照射部１５０の照射窓１５２の冷却を行っている。
【００５９】
冷却部６は、冷却装置であるペルチェユニット６１、冷却水を補給、貯水する冷却水タンク６２、送水ポンプ６３より構成されている。ペルチェユニット６１は、ペルチェ効果を利用した熱電素子であるペルチェ素子を用いた水冷による冷却装置であり、冷却水タンク６２から供給された水を冷却する。冷却された水は、送水ポンプ６３により冷却水パイプ６４を通して循環し、ケーブル４を経由してハンドピース本体１００の照射部１５０に設けたキセノン管１５１及び照射窓１５２を冷却する。  
[スライド量検出手段]
【００６０】
以下にスライド量検出部１６０において照射窓１５２のスライド量を検出するために設けたスライド量検出手段の具体的な実施例について図７を用いて説明する。
【００６１】
１）スライド量検出手段は、
照射窓１５２の近傍に設けた回転体１９１の回転量を検出して照射窓１５２のスライド量を検出する実施例と、
多角形回転体１９３を断面多角形に形成して多角形の一辺の長さの分だけの回転量を所望の照射範囲に設定しておくことにより照射窓１５２のスライド量を検出する実施例と、
照射窓１５２の近傍に設けた光センサー１６２により照射窓１５２のスライド量を検出する実施例と、
照射窓の近傍に設けた光センサー１６２または磁気センサー１６４によりケア領域の皮膚表面Ｍに貼着した光検出ストライプまたは磁気ストライプSを有するシート本体Ｓ−２を用いて照射窓１５２のスライド量を検出する実施例と、がある。
【００６２】
２）まず、照射窓１５２の近傍に設けた回転体１９１の回転量を検出して照射窓１５２のスライド量を検出する実施例について説明する。
この実施例のスライド量検出手段の具体的な構造は図７（ａ）に示すようにハンドピース本体１００のピースケース１０１中に回転機構１９０を収納して構成している。
回転機構１９０は、皮膚当接面を有する基板１０２と、その中央の照射窓両側に配設した回転自在の回転体１９１よりなり、回転機構１９０は回転体１９１の回転数からハンドピース本体１００の皮膚表面Ｍ上のスライド量を検出できるように制御部２に連設されている。照射窓１５２の上方にはカバー１５３を有するキセノン管１５１が配設されている。照射窓１５２のグリップ部１１０寄りの外側には回転体１９１との間に圧力センサー１８０が配設されている。
操作に当たっては、ハンドピース本体１００をスキンケア対象の皮膚表面Ｍに沿ってスライドさせ皮膚表面Ｍ上の回転体１９１を当接回転させることにより、その回転情報を制御部２に送り回転体の回転数から照射窓１５２のスライド量を検出する。
すなわち、皮膚表面Ｍの既照射領域Ｌ−１に隣接する次の照射領域Ｌ−２に的確に照射窓１５２が変位したかどうかの検出を上記の回転体１９１の回転数から検出することができるので正確に次のケア光線の照射作業に移ることができる。
上記の回転体の回転数からスライド量を検出する変形例として、図１０に示すような構造を説明する。
すなわち、図１０に示す構造は、上記の手動式で移動回転するローラー構造によりスライド量を検出する構造と異なり、モータを利用した自動回転式としてケア処理領域分だけ自動で回転してハンドピース本体１００を処理領域分だけ移動させ所定の処理領域にキセノン管１５１からのケア光線照射を行うように構成している。
かかる構造とすることにより、作業者はグリップ部１１０を把持して皮膚表面にハンドピース１０を載置保持し、グリップ部１１０の側面に設けた移動スイッチ３００を操作すればローラーがケア処理領域分だけ自動的に回転してケア光線を照射し、ケア処理領域を通過すれば自動的にケア光線の照射は停止する。
このようにして作業者に手動で照射領域に正確にケア光線を照射、停止する作業の煩わしさを解消できるようにしている。
なお、ローラーをこのように自動的に照射領域の分だけ回転させてハンドピース本体１００を自動的に移動させ、次いで停止する構造としては、図１０（ａ）に示すように制御部（図示せず）に連結したマイクロギヤードモータ４００を動力源として連動機構４１０を介しローラーを所定の回転数だけ回転させるように構成している。
また、図１０（ｃ）に示す構造は、ローラーの代わりに皮膚面の走行性を良好にするために表面にスリップ防止のトレッドを刻設したクローラ式の履帯ローラー６００を使用しており、皮膚表面でのスリップの可能性を少なくし確実な自動走行を行い処理領域に正確にキセノン管１５１からのケア光線照射を行うことができる。
【００６３】
３）次に、多角形回転体１９３を断面多角形に形成して多角形の一辺の長さの分だけの回転量を所望の照射範囲に設定しておくことにより照射窓１５２のスライド量を検出する実施例について説明する。
この実施例のスライド量検出手段の具体的な構造は、図７（ｂ）に示すようにハンドピース本体１００のピースケース１０１中に断面多角形状の回転機構１９２を収納して構成している。
断面多角形状の回転機構１９２は、例えば断面八角形に構成した透明の筒状の多角形回転体１９３を両端の環状軸体１９４を介してピースケース１０１内に回転自在に軸支しており、かかる筒状の多角形回転体１９３の内部にはキセノン管１５１を収納しており、このようにキセノン管１５１をピースケース１０１内に固定することにより多角形回転体１９３の回転にもかかわらずキセノン管１５１は固定された状態を保持したまま多角形回転体１９３の八角形の一面から皮膚表面にケア光線を照射出来るように構成している。
また、断面八角形に構成した多角形回転体１９３の一面（八角形の一辺に相当する一面）の幅員は皮膚表面への一回の照射領域の幅員と同じに構成しておく。
従って、断面八角形に構成した多角形回転体１９３の転動毎に連続した照射領域が形成されていくことになるから多角形回転体１９３の転動毎にキセノン管１５１からのケア光線の照射制御を行えば照射窓１５２のスライド操作と同じ機能を果たすことができる。照射窓１５２のグリップ部１１０寄りの外側には圧力センサー１８０が配設されている。
操作に当たっては、ハンドピース本体１００をスキンケア対象の皮膚表面Ｍに沿ってスライド操作させると皮膚表面Ｍ上で断面八角形に構成した透明の筒状の多角形回転体１９３が転動する。一回の転動により既照射領域Ｌ−１に隣接する次の照射領域Ｌ−２にケア光線の照射が的確に行われることになる。
すなわち、断面八角形に構成した多角形回転体１９３の転動により皮膚表面Ｍの既照射領域Ｌ−１に隣接する次の照射領域Ｌ−２に照射窓１５２が変位したと同じ機能を果たすことができる。
【００６４】
４）次に、照射窓１５２の近傍に設けた光センサー１６２により照射窓１５２のスライド量を検出する実施例を説明する。
この実施例のスライド量検出手段の具体的な構造は図７（ｃ）に示すようにハンドピース本体１００のピースケース１０１中に光センサー１６２を収納構成している。
すなわち、皮膚当接面を有する基板１０２と、その中央の照射窓１５２の両側に配設した光センサー１６２とよりなり、光センサー１６２はハンドピース本体１００のスライド量を検出できるように制御部２に連設されている。照射窓１５２の上方にはカバー１５３を有するキセノン管１５１が配設されている。照射窓１５２のグリップ部１１０寄りの外側で光センサー１６２との間には圧力センサー１８０が配設されている。
ハンドピース本体１００の照射位置を起点とした移動距離は光センサー１６２によりスライド量として検出されることになるため、既照射領域Ｌ−１に隣接する次の照射領域Ｌ−２に的確に照射窓１５２が変位したかどうかの検出が行われることになり、次のケア光線の照射作業に円滑に移ることができる。
【００６５】
５）次に、照射窓の近傍に設けた光センサーまたは磁気センサーによりケア領域の皮膚表面Ｍに貼着したシート状の光検出ストライプまたは磁気ストライプＳを用いて照射窓１５２のスライド量を検出する実施例を説明する。
図８に示すように、光検出ストライプＳは、剥離紙Ｓ−１を裏面に貼着した皮膚接着層Ｓ−４を有する長方形状のシート本体Ｓ−２よりなり、シート本体Ｓ−２の表面にはストライプ状に単一のケア領域幅毎に光検出用のラインＳ−３を表示している。
【００６６】
以下の例は磁気センサー１６４を用いた実施例である
この実施例のスライド量検出手段の具体的な構造は図７（ｃ）に示す光センサーの代わりに、ハンドピース本体１００のピースケース１０１中に磁気センサー１６４を収納構成している。
すなわち、皮膚当接面を有する基板１０２と、その中央の照射窓１５２の両側に配設した磁気センサー１６４及びケア領域の皮膚表面Ｍに貼着したシート本体Ｓ−２とよりなり、磁気センサー１６４は、シート本体Ｓ−２上に照射窓１５２の幅員を間隔として有する磁気ストライプＳを検知してハンドピース本体１００の近接ストライプSからの距離としてスライド量を検出できるように制御部２に連設されている。照射窓１５２の上方にはカバー１５３を有するキセノン管１５１が配設されている。照射窓１５２のグリップ部１１０寄りの外側で光センサー１６２との間には圧力センサー１８０が配設されている。
ハンドピース本体１００のスライド量は磁気センサー１６４により近接ストライプSからの距離として検出されることになるため、既照射領域Ｌ−１に隣接する次の照射領域Ｌ−２に的確に照射窓１５２が変位したかどうかの検出が行われることになり、次のケア光線の照射作業に円滑に移ることができる。図６（ａ）には、腕部にストライプを有するシートを貼着してスライド操作を行う作業イメージが示されている。
【００６７】
以下に本発明のスキンケア装置を用いたスキンケア方法について図５に基づいて説明する。
図５は、本発明の実施形態にかかるスキンケア装置の処理及びスキンケア方法の概略フローを示すフローチャートである。以下の操作及び処理は、操作者及び装置本体１の制御部２が行う。
【００６８】
ステップＳ１０１では、まず、操作者が電源スイッチをＯＮとする。
【００６９】
ステップＳ１０２では、制御部２は、各センサーからの状態信号を確認する。
異常がある場合は、アラームを表示して終了する（図示せず）。
【００７０】
ステップＳ１０３では、操作制御部２０２は、表示器１３０、スライド量検出部１６０を初期設定する。表示器１３０は停止状態に設定し、例えば黄色のランプを点灯する。
【００７１】
ステップＳ１０４では、照射制御部２０１は、照射部１５０を介してキセノン管１５１をシマー発光させる。あらかじめシマー発光させておくことにより、キセノン管の発光時、高速に発光させることができる。
【００７２】
ステップＳ１０５では、操作者は、ケア処理モードを選択設定する。
ケア処理モードは、フェイス、ボディなどのケア領域により照射時間をモード別に分けたものである。
【００７３】
ステップＳ１０６では、操作者は、ハンドピース本体１００を皮膚表面Ｍのケア領域にセットする。
【００７４】
ステップＳ１０７では、操作制御部２０２は、圧力センサー１８０によりハンドピースが皮膚表面Ｍに密着しているか否かをチェックする。密着していない場合は密着するまで待つ。密着している場合は、次のステップＳ１０８に移る。
【００７５】
ステップＳ１０８では、操作制御部２０２は、表示器１３０を待機状態（例えば青色）に設定する。
【００７６】
ステップＳ１０９では、操作制御部２０２は、照射ボタン１２０が押下されたか否かをチェックする。照射ボタン１２０が押下された場合は、次のステップＳ１１０に移る。照射ボタンが押下されていない場合は、照射ボタンが押下されるまで待つ。
【００７７】
ステップＳ１１０では、照射制御部２０１は、照射部１５０を作動させてキセノン管１５１を発光させ、照射窓から皮膚表面Ｍにケア光線の照射を行う。キセノン管１５１からはパルス光が発光される。パルス幅すなわち照射時間は例えば２０ｍｓ〜１５００ｍｓである。これで１回の照射が終わったことになる。照射カウンタ１４０を１増加させる。照射カウンタ１４０は、スキンケア装置の設置以後の累積照射回数を記録し表示している。これは、ハンドピース交換時等に有効な情報となる。
【００７８】
ステップＳ１１１では、操作制御部２０２により、表示器１３０は待機状態から照射中状態に設定変更される。例えば、待機状態で青色表示されている場合には、照射中状態で赤色表示される。
【００７９】
ステップＳ１１２では、照射制御部２０１は、照射が終了するのを待つ
【００８０】
ステップＳ１１３では、操作制御部２０２は、表示器１３０を停止状態例えば黄色に設定する。
【００８１】
ステップＳ１１４では、操作者は、スライド操作かを選択する。スライド操作の場合は、ステップＳ１１５に移る。置換え操作の場合はステップＳ１２０に移る。
【００８２】
ステップＳ１１５では、操作者は表示器１３０が停止状態（黄色）であることを確認してハンドピース本体を皮膚表面Ｍに密着させながらスライドさせる。
【００８３】
ステップＳ１１６では、操作制御部２０２は、圧力センサー１８０によりハンドピースが皮膚表面Ｍに密着しているかをチェックする。密着していない場合は、ステップＳ１２０に移る。密着している場合は、次のステップＳ１１７に移る。
【００８４】
ステップＳ１１７では、スライド制御部２０３は、スライド量検出部１６０からのスライド量が所定の値すなわち、所望のケア領域の幅員に等しいか否かをチェックする。所定値に達していない場合はステップＳ１１６に戻る。所定値に達した場合は、次のステップS１１８に移る。
【００８５】
ステップＳ１１８では、操作制御部２０２は、表示器１３０を待機状態（青色点灯）とする。
【００８６】
ステップＳ１１９では、操作者は表示器の青色点灯を見てハンドピース本体１００のスライド操作を停止する。
ステップＳ１０７に戻る。
【００８７】
ステップＳ１２０では、操作制御部２０２は、モード設定変更か否かをチェックする。モード設定変更の場合は、ステップS１０５に戻る。モード設定でない場合は、次のステップＳ１２１に移る。
【００８８】
ステップＳ１２１では、ケア処理終了か否かをチェックする。ケア処理終了でない場合はステップＳ１０６に戻る。ケア処理終了の場合は、次のステップＳ１２２に移る。
【００８９】
ステップＳ１２２では、操作者が電源をＯＦＦとしスキンケア処理を終了する。
【００９０】
以下に本発明のスキンケア装置によりスキンケア処理を行う場合の操作手順について説明する。
【００９１】
図５を用いた制御部の動作フローで説明したように、操作者は、
１．装置本体１の電源をＯＮとする。表示器１３０は初期状態（黄色点灯）となる。
２．ハンドピース本体１００をケア領域にセットする。ハンドピース本体１００が皮膚表面Ｍに密着すると表示器１３０は待機状態（青色点灯）となり照射ボタン１２０押下待ちの状態となる。
３．操作者が照射ボタン１２０を押下するとケア光線が皮膚表面Ｍに照射される。表示器１３０は照射中状態となり赤色点灯する。照射が終了すると表示器１３０は停止状態（黄色点灯）となる。これで1回分の照射が終了したことになる。
４．次に操作者は、ハンドピース１０の変位操作を行う。
変位操作は、スライド操作により行う。スライド操作は、ハンドピース本体１００を皮膚表面Ｍに密着させながらスライドさせる操作である。
５．スライド操作を行う場合は、操作者は、表示器１３０の黄色点灯を確認して、ハンドピース本体１００を皮膚表面Ｍに密着させながらスライドさせる。所定の量すなわち、既に照射した領域すなわち、既照射領域Ｌ−１を超えてスライドすると表示器１３０は待機状態（青色点灯）となる。
６．操作者は、表示器１３０の青色点灯をみて、ハンドピース本体１００のスライド操作を停止する。次に３．に戻って連続照射を行う。
７．装置本体１の電源をＯＦＦとする。
【００９２】
以上のように、ケア光線の照射動作を開始するのは、表示器１３０が待機状態に設定されている間に照射ボタン１２０の押下が行われた場合だけであるので、操作者は表示器１３０の表示を確認して照射ボタン１２０の操作を行えば容易に且つ安全に照射動作を開始することができる。
【００９３】
図６は、ハンドピース１０の使用状態を示した図である。操作者は、ハンドピースのストラップ（図示せず）を手首につけ、ハンドピースの表示器１３０が停止状態（黄色点灯）であることを確認し、グリップ部１１０を把持して照射窓１５２を処理部位の皮膚表面Ｍに押し当て水平に密着させる。圧力センサー１８０によりハンドピース本体１００が皮膚表面Ｍに密着していることを検知すると、表示器１３０が待機状態（青色点灯）となり照射が可能となる。操作者が照射ボタン１２０を押下することによりパルス光が照射窓１５２から皮膚表面Ｍに照射される。
図６（ｂ）は、ハンドピースを皮膚表面でスライドさせながらケア光線の照射領域をずらしていく場合の作業イメージを示したものである。一点鎖線で囲まれた各領域が1回分の照射領域を示している。
【００９４】
上記の実施形態の説明では、技術的に種々の限定がなされているが、本発明はこれらの形態に限定されるものではない。
【符号の説明】
【００９５】
１  装置本体
２  制御部
３  操作部
４  ケーブル
６  冷却部
８  コネクタ部
１０  ハンドピース
６１  ペルチェユニット
６２  冷却水タンク
６３  送水ポンプ
６４  冷却水パイプ
８１  電気系統コネクタ
８２  冷却系統コネクタ
１００  ハンドピース本体
１０１  ピースケース
１０２  基板
１１０  グリップ部
１２０  照射ボタン
１３０  表示器
１４０  照射カウンタ
１５０  照射部
１５１  キセノン管
１５２  照射窓
１５３  カバー
１６０  スライド量検出部
１６２  光センサー
１６４  磁気センサー
１８０  圧力センサー
１９０  回転機構
１９１  回転体（ローラー）
１９２  断面多角形状の回転機構
１９３  多角形回転体
１９４  環状軸体
２０１  照射制御部
２０２  操作制御部
２０３  スライド制御部
２００  枢軸
３００  移動スイッチ
４００  マイクロギヤードモータ
４１０  連動機構
５００  自動ローラー
６００  履帯ローラー
Ｌ―１  既照射領域
Ｌ―２  次の照射領域
Ｍ      皮膚表面
Ｓ      光検出ストライプまたは磁気ストライプ
Ｓ−１  剥離紙
Ｓ−２  シート本体
Ｓ−３  ライン
Ｓ−４  皮膚接着層
【図１】
2015093109.tif 000003
【図２】
2015093109.tif 000004
【図３】
2015093109.tif 000005
【図４】
2015093109.tif 000006
【図５】
2015093109.tif 000007
【図６】
2015093109.tif 000008
【図７】
2015093109.tif 000009
【図８】
2015093109.tif 000010
【図９】
2015093109.tif 000011
【図１０】
2015093109.tif 000012